(57)【要約】      （修正有）【課題】重なるように掛けられた衣服は、揺動するため右斜め前方から見ても、左斜め前方から見ても、後方の衣服の左右の模様や柄を広く見ることが可能である揺動ハンガースタンドの提供。【解決手段】１対の前後の支柱ａ５の上にアーム支持部材ａ２を掛け渡し、該アーム支持部材ａ２の後端には、モーターｂ１と該モーターｂ１の出力軸の軸線上に配設した回転盤ｂ２を配置し、該回転盤ｂ２の面は上向きに配置している。上記回転盤ｂ２の上面の同心円上には後述する揺動バーｂ３の一端と枢支する第１支軸ｃ１を有する。従って、上記第１吊掛アームａ１−１及び第２吊掛アームａ１−２は、上記第２垂直支軸ａ４−１及び第３垂直支軸ａ４−２を中心に扇状に前後方向に揺動可であり、また上記揺動中間部材ｂ５は上記第１垂直支軸ａ３を中心に扇状に前後方向に揺動可である。【選択図】図１
2007130412.tif 000002
【特許請求の範囲】
【請求項１】
衣服のハンガーを吊り掛けるハンガースタンドにおいて、該ハンガーを掛ける複数の吊掛アームと各々の該吊掛アームを支持するアーム支持部材と、該アーム支持部材を支持する支柱からなり、各々の該吊掛アームの一端を該アーム支持部材に枢支し、また各々の該吊掛アームの他端を連結体を以って相互に枢支連結した構成としたことを特徴とした揺動ハンガースタンド。
【請求項２】
駆動力により揺動する吊掛アームを備えた請求項１の揺動ハンガースタンド。
【発明の詳細な説明】
【技術分野】
【０００１】  本発明は、衣服用ハンガースタンドに関する。
【技術背景】
【０００２】  従来のハンガースタンドには吊下げ軸を前後の支柱に掛け渡す構成のハンガースタンドがある。
【発明の開示】
【発明が解決しようとする課題】
【０００３】  洋品店が多数出店している商店街の店は、どの洋品店のハンガースタンドも静止しており、ウィンドウ越しの通行人の目を引くことが難しく集客数が増さない。【０００４】  また、従来の衣服を連吊するハンガースタンドでは、衣服を前後方向に重なるように多数吊り下げている故に、客は各々の衣服の模様や柄を見ようとしても、該衣服は重なっているため見え難い。【０００５】  従って、ハンガースタンドに掛かっている後方の衣服を見るには、直接衣服を手にとるか、又はハンガーの片方の肩の部分を後方に押して該ハンガーを斜めにして見える面積を広くして、見なければならない。【０００６】  また、店外からウィンドウ越しにハンガースタンドに連吊している衣服を見たくても、上述するように衣服が前後に重なっていると後方の衣服は見ることができず、かといってわざわざ店の中に入るのは、店員に強引にセールを受ける気がするため躊躇するものである。【０００７】  又、店側としても白色系のドレスなどの衣服によっては、お客に触れられて汚されてクリーニングなどの無駄な経費が掛かる場合がある。
【課題を解決するための手段】
【０００８】本発明は上記の問題点を解決する揺動ハンガースタンドを提供する。衣服のハンガーを吊り掛けるハンガースタンドにおいて、該ハンガーを掛ける複数の吊掛アームと各々の該吊掛アームを支持するアーム支持部材と、該アーム支持部材を支持する支柱からなり、各々の該吊掛アームの一端を該アーム支持部材に枢支し、また各々の該吊掛アームの他端を連結体を以って相互に枢支連結した構成とした。【０００９】  また、駆動力により揺動する吊掛アームを備えた。
【発明の効果】
【００１０】  これにより、静止しているハンガースタンドを使用している洋品店が多数立ち並ぶ商店街のなかで、本揺動ハンガースタンドの衣服に揺れるような動きを生じさせていることで、ウィンドウ越しに通行する人々の目を惹きつけ集客数が増す。【００１１】  また、本揺動ハンガースタンドに前後に重なるように掛けられた衣服も、駆動力により上記吊掛アームと共に衣服が扇形状に前後に揺動して、該衣服の見える面積が広くなり、模様や柄が分かり易くなる。【００１２】  また、本揺動ハンガースタンドに重なるように掛けられた衣服は、揺動するため右斜め前方から見ても、左斜め前方から見ても、後方の衣服の左右の模様や柄を広く見ることが可能である。【００１３】  また、客はウィンドウ越しからも該ハンガースタンドに掛けられた後方の衣服を見ることが可能となり、気に入れば躊躇することなく店に入れるようになる。【００１４】  よって、店側としても、ウィンドウ越しに見えづらい模様柄などを気にしながらも店の前を通り過ぎてしまう見込み客を逃すことがなくなり集客数が増し、また上述したように躊躇無く入ってきた客は、売り上げ増につながる。【００１５】  また、店側として本揺動ハンガースタンドに掛けられた白色のドレスなどの衣服は、お客に触れられて汚れることが減り、洗濯などの経費が削減される。
【発明を実施するための最良の形態】
【００１６】  図１・図２に示すように、１対の前後の支柱ａ５の上にアーム支持部材ａ２を掛け渡し、該アーム支持部材ａ２の後端には、モーターｂ１と該モーターｂ１の出力軸の軸線上に配設した回転盤ｂ２を配置し、該回転盤ｂ２の面は上向きに配置している。【００１７】  また、上記回転盤ｂ２の上面の同心円上には後述する揺動バーｂ３の一端と枢支する第１支軸ｃ１を有する。【００１８】  また、上記アーム支持部材ａ２の側面と第１吊掛アームａ１−１の一端を第２垂直支軸ａ４−１を以って枢支し、同様にして該第１吊掛アームａ１−１前方の第２吊掛アームａ１−２を第３垂直支軸ａ４−２を以って該アーム支持部材ａ２の側面に連設する。【００１９】  また、該第１吊掛アームａ１−１の後方にアーム支持部材ａ２側面に揺動中間部材ｂ５を第１垂直支軸ａ３を以って枢支している。【００２０】  従って、上記第１吊掛アームａ１−１及び第２吊掛アームａ１−２は、上記第２垂直支軸ａ４−１及び第３垂直支軸ａ４−２を中心に扇状に前後方向に揺動可であり、また上記揺動中間部材ｂ５は上記第１垂直支軸ａ３を中心に扇状に前後方向に揺動可である。【００２１】  また、上記の第１吊掛アームａ１−１及び第２吊掛アームａ１−２の各々の上面に第４支軸ｃ４−１及び第５支軸ｃ４−２を配設し、また上記揺動中間部材ｂ５の上面に第３支軸ｃ３を配設し、該第３支軸ｃ３・第４支軸ｃ４−１・第５支軸ｃ４−２に後述する連結体ｂ４を以って該第１吊掛アームａ１−１と該第２吊掛アームａ１−２及び該揺動中間部材ｂ５を連結する。【００２２】  また、上記揺動中間部材ｂ５の上面には、上記第１垂直支軸ａ３と上記支軸ｃ３の延長線上に第２支軸ｃ２を有する。【００２３】  上記回転盤上の第１支軸ｃ１と上記揺動中間部材上の第２支軸ｃ２を揺動バーｂ３の両端を以って枢支し、また該揺動中間部材ｂ５上の第３支軸ｃ３と上記各々の第１吊掛アームａ１−１及び第２吊掛アームａ１−２上の第４支軸ｃ４及び第５支軸ｃ５を連結体を以って結んでいる。【００２４】  上記の第１吊掛アームａ１−１及び第２吊掛アームａ１−２の前面には、ハンガーｄ１を吊り掛ける第１フックａ６−１及び第２フックａ６−２を設けている。【００２５】  上記のモーターｂ１を稼動することにより、上記揺動中間部材ｂ５は上記第１垂直支軸ａ３を中心に扇状に前後方向に揺動すると共に、上記第１吊掛アームａ１−１及び第２吊掛アームａ１−２は、上記第２垂直支軸ａ４−１及び第３垂直支軸ａ４−２を中心に扇状に前後方向に揺動する。【００２６】  拠って、上記第１吊掛アームａ１−１及び第２吊掛アームａ１−２が揺動することにより、衣服ｄ２も上記第２垂直支軸ａ４−１及び第３垂直支軸ａ４−２を中心に扇状に前後方向に揺動する。【００２７】  尚、上記の揺動中間部材ｂ５は、往復動アクチュエータと連結しても良い。
【図面の簡単な説明】
【００２８】
【図１】本発明の揺動ハンガースタンドの全体斜視図。
【図２】本発明の揺動ハンガースタンドの部分図。
【符号の説明】
【００２９】  ａ１−１−第１吊掛アーム
ａ１−２−第２吊掛アーム
ａ２−アーム支持部材
ａ３−第１垂直支軸
ａ４−１−第２垂直支軸
ａ４−２−第３垂直支軸
ａ５−支柱
ａ６−１−第１フック
ａ６−２−第２フック
ｂ１−モーター
ｂ２−回転盤
ｂ３−揺動バー
ｂ４−連結体
ｂ５−揺動中間部材
ｃ１−第１支軸
ｃ２−第２支軸
ｃ３−第３支軸
ｃ４−１−第４支軸
ｃ４−２−第５支軸
ｄ１−ハンガー
ｄ２−衣服
【図１】
2007130412.tif 000003
【図２】
2007130412.tif 000004